【手続補正書】
【提出日】平成15年10月7日(2003.10.7)
【手続補正１】
【補正対象書類名】明細書
【補正対象項目名】特許請求の範囲
【補正方法】変更
【補正の内容】
【特許請求の範囲】
【請求項１】
筆記用具であって、遠位端部及び近位端部を備えた本体と、筆記端部及び基端部を備えたカートリッジと、近位端部及び遠位端部を備えていて、前記本体に回転自在に結合されたドライブ部材と、前記本体内に長手方向に摺動自在に設けられていて、前記ドライブ部材と関連したコントロール部材と、前記コントロール部材と前記カートリッジとの間に設けられていて、前記カートリッジを遠位側の方向に付勢するよう構成された付勢要素とを有し、前記ドライブ部材の回転により前記コントロール部材は回転することなく前記本体内で長手方向に動き、それにより前記カートリッジに対する付勢力が変化するようになっていることを特徴とする筆記用具。
【請求項２】
前記ドライブ部材の前記近位端部に連結されたドライブつまみを更に有し、前記ドライブつまみを回転させると前記ドライブ部材が回転するようになっていることを特徴とする請求項１記載の筆記用具。
【請求項３】
前記コントロール部材を貫通してねじ山付きの穴が設けられ、前記ドライブ部材の近位端部は、前記コントロール部材のねじ山と噛み合うねじ山を有していることを特徴とする請求項２記載の筆記用具。
【請求項４】
前記コントロール部材の外部は、８角形の形状をしており、前記コントロール部材は、前記本体内で長手方向に動くことができるが、回転することはできないようになっていることを特徴とする請求項３記載の筆記用具。
【請求項５】
ねじ山付きキャビティを備えたドライブつまみを更に有し、前記ドライブつまみは、前記本体の近位端部に回転自在に固定され、前記ドライブ部材の前記遠位端部にはねじ山が設けられ、該ねじ山は、前記ドライブつまみのねじ山付きキャビティと噛み合い、前記ドライブつまみを回転させると前記ドライブ部材は前記本体内で回転し、それにより前記コントロール部材は前記本体内で遠位側又は近位側へ動くことを特徴とする請求項１記載の筆記用具。
【請求項６】
前記コントロール部材の前記遠位端部に取り付けられた中空筒体を更に有し、前記付勢要素の一端は、前記中空筒体内に挿入されてこの中に取り付けられることを特徴とする請求項３記載の筆記用具。
【請求項７】
前記付勢要素は、摩擦力を用いて前記コントロール部材に取り付けられていることを特徴とする請求項６記載の筆記用具。
【請求項８】
前記コントロール部材はナットであり、前記本体は、前記ナットが前記本体内で回転するのを阻止するような寸法形状の内部を有していることを特徴とする請求項１記載の筆記用具。
【請求項９】
前記付勢要素は、コイルスプリングであることを特徴とする請求項１記載の筆記用具。
【請求項１０】
筆記用具であって、遠位端部及び近位端部を備えた本体と、筆記端部及び基端部を備えたカートリッジと、前記本体に回転自在に連結されていて、一端部が前記カートリッジの前記基端部と関連し、他端部が前記本体から延びているドライブ部材と、前記ドライブ部材に対して長手方向に運動するよう前記ドライブ部材と関連するコントロール部材と、前記カートリッジと前記コントロール部材との間に設けられた付勢要素を更に有していることを特徴とする筆記用具。
【請求項１１】
前記カートリッジは、前記筆記端部が前記本体の前記遠位端部から少なくとも部分的に外部へ延びるよう前記本体内に配置され、前記本体は、前記本体部分とキャップとを有し、該キャップは、前記本体部分の前記近位端部に連結されており、前記ドライブ部材は、前記キャップ内に位置決めされていること特徴とする請求項１０記載の筆記用具。
【請求項１２】
前記本体は、長手方向軸線を有し、前記ドライブ部材は、前記本体に対して実質的に長手方向には動くことができないことを特徴とする請求項１０記載の筆記用具。
【請求項１３】
前記本体は、前記カートリッジの前記基端部と関連し、かつ、前記ドライブ部材が前記キャップ内に位置決めされているキャップを更に有することを特徴とする請求項１１記載の筆記用具。
【請求項１４】
前記コントロール部材は、前記本体内では回転しないように構成されていることを特徴とする請求項１０記載の筆記用具。
【請求項１５】
前記本体の内部は、前記コントロール部材が前記本体内で回転しないような寸法形状になっていることを特徴とする請求項１０記載の筆記用具。
【請求項１６】
前記付勢要素は、前記カートリッジを前記ドライブ部材から遠ざかる方向に付勢するスプリングであることを特徴とする請求項１０記載の筆記用具。
【請求項１７】
前記ドライブ部材の回転により前記コントロール部材が前記本体内で長手方向に動き、それにより前記ばねを圧縮し又は弛緩させて前記カートリッジに対する前記スプリングの付勢力を変えるようになっていることを特徴とする請求項１６記載の筆記用具。
【請求項１８】
前記コントロール部材はナットであり、前記本体の内部は、前記本体内での前記コントロール部材の回転を阻止するが、前記コントロール部材が前記本体内で長手方向に摺動できるようにする寸法形状になっていることを特徴とする請求項１７記載の筆記用具。
【請求項１９】
前記ドライブ部材に固定的に取り付けられると共に前記本体と回転自在に関連したドライブつまみを更に有し、前記ドライブつまみの回転により前記ドライブ部材が回転するようになっていることを特徴とする請求項１０記載の筆記用具。
【請求項２０】
前記ドライブ部材は、前記コントロール部材が前記ドライブ部材との連携性を無くさないようにする止め部を更に有していることを特徴とする請求項１０記載の筆記用具。
【請求項２１】
筆記用具であって、遠位端部及び近位端部を備えた本体と、前記本体の前記遠位端部から少なくとも部分的に外部へ延びる筆記端部及び基端部を備えたカートリッジと、前記本体の前記近位端部に着脱自在に取り付けられたキャップと、近位端部及び遠位端部を備えていて、前記キャップに回転自在に固定されたドライブ部材と、前記キャップ内に摺動自在に設けられていて、前記ドライブ部材の前記遠位端部と係合するコントロール部材と、前記コントロール部材に取り付けられていて、前記カートリッジを遠位側の方向に付勢するよう構成された付勢要素とを有し、前記ドライブ部材の回転により前記コントロール部材が前記キャップ内で長手方向に動き、それにより前記カートリッジに対する付勢力が変化するようになっており、前記コントロール部材を貫通してねじ山付きの穴が設けられ、前記ドライブ部材の遠位端部は、前記コントロール部材のねじ山と噛み合うねじ山を有していることを特徴とする筆記用具。
【請求項２２】
筆記用具であって、遠位端部及び近位端部を備えた第１の部分と、遠位端部及び近位端部を備えた第２の部分を備えた本体を有し、前記第１の部分の前記近位端部は、前記第２の部分の前記近位端部に着脱自在に結合するように形作られており、筆記用具カートリッジを受け入れるよう形作られたキャビティが、前記第１及び第２の部分内に形成され、前記キャビティは、前記第１の部分と前記第２の部分の結合解除の際に接近可能であり、更に、第２の部分に回転可能に連結されていて、近位端部及び前記第２の部分に結合された遠位端部を有するドライブ部材と、前記ドライブ部材に対して運動自在に前記ドライブ部材に結合されたコントロール部材とを更に有し、前記第１及び第２の部分内の前記キャビティは、前記第１の部分の前記遠位端部と前記コントロール部材との間に形成されていて、付勢要素及び筆記用具カートリッジを受け入れるように形作られており、付勢要素は、前記コントロール部材と筆記用具カートリッジの基端部との間に位置しており、前記ドライブ部材を回転させると前記コントロール部材が直線運動し、それにより前記コントロール部材と前記第１の部分の前記遠位端部との間の距離が短くなることを特徴とする筆記用具。
【請求項２３】
前記キャビティ内に配置された筆記用具カートリッジと、前記コントロール部材と前記カートリッジとの間に当接状態で設けられていて、前記カートリッジを遠位側の方向へ付勢するよう構成された付勢部材とを有し、前記ドライブ部材を回転させると前記コントロール部材が前記第２の部分内で長手方向に動き、それにより前記ドライブ部材と前記カートリッジとの間の前記付勢要素の圧縮度を加減し、それにより前記カートリッジに対する前記に付勢要素の付勢力を変えるようになっていることを特徴とする請求項２２記載の筆記用具。
【請求項２４】
中空部分が、前記第２の部分の近位端部内に形成され、前記ドライブ部材は、前記ドライブ部材の前記近位端部と前記遠位端部との間に設けられたリング部分を更に有し、前記ドライブ部材の前記近位端部は、前記第２の部分の前記中空部分を貫通して前記第２の部分の外部へ延び、前記リングは、前記ドライブ部材の前記遠位端部が前記中空部分を近位側へ貫通するのを阻止し、前記筆記用具は、前記ドライブ部材を長手方向に動くことなく前記第２の部分に対して回転可能に前記第２の部分に結合するよう前記ドライブ部材の前記近位端部に結合されたドライブつまみを更に有していることを特徴とする請求項２３記載の筆記用具。
【請求項２５】
前記第２の部分の前記中空部分及び前記コントロール部材は、前記コントロール部材が前記第２の部分の前記中空部分内で非回転的に位置決めされるような寸法形状になっていることを特徴とする請求項２４記載の筆記用具。
【請求項２６】
前記コントロール部材はスプリング当接面を有し、また、中空筒体が、前記コントロール部材の前記スプリング当接面から延びており、スプリングの端部を受け入れるように形作られていることを特徴とする請求項２３記載の筆記用具。
【請求項２７】
筆記用具のカートリッジ要素に対する付勢要素の張力を調節する方法であって、遠位側部分及び前記遠位側部分に着脱自在に結合された近位側部分を備える筆記用具内に形成されたキャビティ内に、筆記端部及び基端部を備えたカートリッジを、前記筆記端部が前記遠位側部分に形成された開口部を貫通した状態で設ける段階と、遠位端部及び近位端部を備えたドライブ部材を前記近位側部分と関連させる段階と、コントロール部材を前記ドライブ部材の前記遠位端部と関連させる段階と、付勢要素を前記カートリッジの前記基端部と前記コントロール部材との間に設ける段階と、前記ドライブ部材を動かして前記コントロール部材を前記ドライブ部材及び前記カートリッジ要素に対して動かし、それにより前記付勢要素を圧縮し又は弛緩させて前記カートリッジに加わる前記付勢要素の付勢力を調節する段階とを有していることを特徴とする方法。
【請求項２８】
前記ドライブ部材を長手方向に動くことなく前記近位側部分に対して回転できるように前記近位側部分に結合する段階を更に有し、前記方法は、前記ドライブ部材を回転させて前記コントロール部材が前記カートリッジに向かって動くようにすることを特徴とする請求項２７記載の方法。
【請求項２９】
前記コントロール部材を前記ドライブ部材に結合すると共に前記コントロール部材を前記筆記用具の前記キャビティ内に位置決めして前記ドライブ部材の回転により、前記近位側部分内での前記コントロール部材の回転を阻止しながら前記コントロール部材の長手方向運動を生じさせ、それにより前記コントロール部材が前記カートリッジに向かって動くようにすることを特徴とする請求項２８記載の方法。
【請求項３０】
更に、本体部分とキャップとを有し、該キャップは、前記本体部分の近位端から取り外し可能であることを特徴とする請求項１記載の筆記用具。
【請求項３１】
前記ドライブ部材は、前記コントロール部材が前記ドライブ部材との連携性を無くさないようにする止め部を更に有していることを特徴とする請求項１に記載の筆記用具。
【請求項３２】
前記コントロール部材は、前記付勢要素と関連する寸法形状になっている当接面を有し、前記付勢要素は前記当接面と関連していることを特徴とする請求項１記載の筆記用具。
【請求項３３】
更に、本体部分とキャップとを有し、該キャップは、前記カートリッジの前記基端と関連することを特徴とする請求項１０記載の筆記用具。
【請求項３４】
前記付勢要素はコイルスプリングであることを特徴とする請求項１０記載の筆記用具。
【請求項３５】
前記キャップは、前記本体部分から取り外し可能であることを特徴とする請求項３３記載の筆記用具。
【請求項３６】
前記制御部材は、前記付勢要素と関連する寸法形状とされている当接面を有し、前記付勢要素は前記当接面と関連しており、また、前記付勢要素は、前記カートリッジに対して付勢力を与えることを特徴とする請求項１０記載の筆記用具。
【請求項３７】
前記ドライブ部材は、ドライブロッドである、ことを特徴とする請求項１乃至請求項３６のいずれか１項に記載の筆記用具。